(57)【要約】  本発明は、肉眼で識別可能な異なる色彩を有する少なくとも二つの金属層がプラスチック層の同一表面に相並んで配設されている、セキュリティペーパー、銀行券、身分証明証等のためのセキュリティ素子に関するものである。
2005512860.tif 000002
【特許請求の範囲】
【請求項１】
セキュリティペーパー、銀行券、身分証明証等のためのセキュリティ素子であって、
少なくとも一つのプラスチック層を備え、該プラスチック層の同一側に、異なる色彩を有する少なくとも二つの金属層が、前記二つの異なる色彩を肉眼で識別し得るように配設されていることを特徴とするセキュリティ素子。
【請求項２】
前記複数の金属層が相並んで配設されていることを特徴とする、請求項１記載のセキュリティ素子。
【請求項３】
前記複数の金属層が少なくとも一部の領域において隣接していることを特徴とする、請求項１または２記載のセキュリティ素子。
【請求項４】
前記複数の金属層の少なくとも一つが、文字数字、模様、標識等を表す空隙を備えていることを特徴とする、請求項１から３の少なくとも１項記載のセキュリティ素子。
【請求項５】
前記複数の金属層が少なくとも一部の領域において重なり合って配設されていることを特徴とする、請求項１記載のセキュリティ素子。
【請求項６】
前記複数の金属層が重なり合って配設され、該複数の金属層の一つは、２番目の金属層の色が識別され得るように空隙を備えていることを特徴とする、請求項１記載のセキュリティ素子。
【請求項７】
第３の色彩を有する第３の金属層が前記プラスチック層の同一表面または反対側表面に同様に配設されていることを特徴とする、請求項１から６の少なくとも１項記載のセキュリティ素子。
【請求項８】
前記複数の金属層の一つが、透明な色ラッカー層の印刷により着色されていることを特徴とする、請求項１から７の少なくとも１項記載のセキュリティ素子。
【請求項９】
前記セキュリティ素子が印刷画像を備えていることを特徴とする、請求項１から８の少なくとも１項記載のセキュリティ素子。
【請求項１０】
前記複数の金属が機械で検査可能な異なる物理的特性を有することを特徴とする、請求項１から９の少なくとも１項記載のセキュリティ素子。
【請求項１１】
前記複数の金属層の少なくとも一つが、半透明であることを特徴とする、請求項１から１０の少なくとも１項記載のセキュリティ素子。
【請求項１２】
前記プラスチック層が、浮彫り構造の形態の回折構造を備えていることを特徴とする、請求項１から１１の少なくとも１項記載のセキュリティ素子。
【請求項１３】
前記プラスチック層が、自立型のプラスチックフォイルであることを特徴とする、請求項１から１２の少なくとも１項記載のセキュリティ素子。
【請求項１４】
前記プラスチック層が、キャリヤ材料上に配設されていることを特徴とする、請求項１から１３の少なくとも１項記載のセキュリティ素子。
【請求項１５】
前記セキュリティ素子が転写素子であることを特徴とする、請求項１から１４の少なくとも１項記載のセキュリティ素子。
【請求項１６】
前記セキュリティ素子が自立型ラベルであることを特徴とする、請求項１から１４の少なくとも１項記載のセキュリティ素子。
【請求項１７】
前記セキュリティ素子が、円形、楕円形、星型、長方形、不等辺四辺形、または帯状の輪郭を有することを特徴とする、請求項１から１６の少なくとも１項記載のセキュリティ素子。
【請求項１８】
前記セキュリティ素子がセキュリティストリップであることを特徴とする、請求項１から１４の少なくとも１項記載のセキュリティ素子。
【請求項１９】
請求項１から１８の少なくとも１項記載のセキュリティ素子の少なくとも一つを備えていることを特徴とするセキュリティペーパー。
【請求項２０】
前記セキュリティ素子が、前記セキュリティペーパー内に少なくとも部分的に埋め込まれたセキュリティストリップであることを特徴とする、請求項１９記載のセキュリティペーパー。
【請求項２１】
前記セキュリティペーパーが透孔を備え、前記セキュリティ素子が、前記透孔の領域に配設され、かつ該透孔の全縁からはみ出ていることを特徴とする、請求項２０記載のセキュリティペーパー。
【請求項２２】
前記セキュリティ素子が、前記セキュリティペーパーの表面に施された転写素子であることを特徴とする、請求項２０記載のセキュリティペーパー。
【請求項２３】
前記セキュリティ素子が、円形、楕円形、星型、長方形、不等辺四辺形、または帯状の輪郭を有することを特徴とする、請求項２２記載のセキュリティペーパー。
【請求項２４】
請求項１から１８の少なくとも１項記載のセキュリティ素子の少なくとも一つを備えた、銀行券、身分証明証等のような有価証書。
【請求項２５】
キャリヤフォイルと、異なる色彩を有する少なくとも二つの金属層が上に配設された少なくとも一つのプラスチック層とを備え、前記複数の金属層が前記プラスチック層の同一側に配設されていることを特徴とする、セキュリティ素子を作成するための転写材料。
【請求項２６】
前記プラスチック層が、浮彫り構造の形態の回折構造を備えていることを特徴とする、請求項２５記載の転写材料。
【請求項２７】
請求項１から１８の少なくとも１項記載されたセキュリティ素子を使用して任意の形式の物品の偽造を防止する方法。
【請求項２８】
請求項１９から２３の少なくとも１項記載されたセキュリティペーパーを使用して任意の種類の物品の偽造を防止する方法。
【請求項２９】
請求項２４に記載された有価証書を使用して任意の形式の物品の偽造を防止する方法。
【請求項３０】
異なる色彩を有する少なくとも二つの金属層が上に配設された少なくとも一つのプラスチック層を有し、前記金属層が、文字数字、模様、標識等を表す空隙を備えてなる、セキュリティペーパー、銀行券、身分証明証等のためのセキュリティ素子の作成方法であって、
（ａ）自立型プラスチックフォイルの形態のプラスチック層または該プラスチック層が上に配設されたキャリヤ材料を提供し、
（ｂ）前記プラスチック層に文字数字、模様、標識等を印刷し、
（ｃ）顔料を多く含む印刷インクを使用し、
（ｄ）該印刷インクを乾燥させて、盛り上がった多孔質の塗料層を形成し、
（ｅ）異なる色彩を有する金属層を前記印刷されたプラスチック層に施し、
（ｆ）液体を用いた洗い流しによって、随意的な機械的作用とともに、前記塗料層および該塗料層を覆っているかまたは該塗料層内に食い込んでいる前記金属層を除去し、
（ｇ）前記プラスチックフォイルまたは前記キャリヤ材料を乾燥させ、随意的に裁断する、
諸工程を含むことを特徴とする前記方法。
【請求項３１】
前記金属層を、マスクを用いた蒸着によって施すことを特徴とする、請求項３０記載の方法。
【請求項３２】
前記工程（ｂ）に先立って、別の金属層および／または印刷画像を施すことを特徴とする、請求項３０または３１記載の方法。
【請求項３３】
異なる色彩を有する少なくとも二つの金属層が上に配設された少なくとも一つのプラスチック層を有し、前記金属層が文字数字、模様、標識等を表す空隙を備えてなる、セキュリティペーパー、銀行券、身分証明証等のためのセキュリティ素子の作成方法であって、
（ａ）自立型プラスチックフォイルの形態のプラスチック層または該プラスチック層が上に配設されたキャリヤ材料を提供し、
（ｂ）第１の色彩を有する第１の金属層を施し、
（ｃ）前記第１の金属層に文字数字、模様、標識等を印刷し、
（ｄ）顔料を多く含む印刷インクを使用し、
（ｅ）該印刷インクを乾燥させて、盛り上がった多孔質の塗料層を形成し、
（ｆ）第２の色彩を有する少なくとも一つの第２の金属層を前記印刷されたプラスチック層に施し、
（ｇ）液体を用いた洗い流しによって、随意的に機械的作用とともに、前記塗料層および該塗料層を覆っているかまたは該塗料層内に食い込んでいる前記金属層を除去し、
（ｈ）前記プラスチックフォイルまたは前記キャリヤ材料を乾燥させ、随意的に裁断する、
諸工程を含むことを特徴とする前記方法。
【請求項３４】
前記プラスチックフォイルまたは前記キャリヤ材料を継ぎ目なしテープの形態で提供し、前記方法を連続的に実行することを特徴とする、請求項３０から３３の少なくとも１項記載の方法。
【請求項３５】
前記印刷インクが水溶性であり、前記洗い流しに水が使用されることを特徴とする、請求項３０から３４の少なくとも１項記載の方法。
【請求項３６】
前記プラスチック層への印刷を凹版印刷によって成すことを特徴とする、請求項３０から３５の少なくとも１項記載の方法。
【請求項３７】
前記工程（ａ）において前記プラスチック層を継ぎ目なしプラスチックフォイルの形態で提供し、かつ前記工程（ｇ）において所定の幅を有するセキュリティストリップに裁断することを特徴とする、請求項３０から３６の少なくとも１項記載の方法。
【請求項３８】
前記工程（ａ）において前記プラスチック層を特別に調製されたキャリヤ材料上に配設して転写材料を形成し、該転写材料を前記工程（ｇ）において所定の幅を有するストリップに裁断することを特徴とする、請求項３０から３６の少なくとも１項記載の方法。
【請求項３９】
前記工程（ｂ）に先立って回折構造を前記プラスチック層に刻印することを特徴とする、請求項３０から３８の少なくとも１項記載の方法。
【請求項４０】
請求項３０から３９の少なくとも１項記載の方法により作成されたセキュリティストリップを、前記セキュリティペーパーの作成時に埋め込むことを特徴とする、有価証書を作成するためのセキュリティペーパーの作成方法。
【請求項４１】
請求項３０から３９の少なくとも１項記載の方法により作成されたセキュリティ素子を、完成したセキュリティペーパーの表面に施すことを特徴とする、有価証書のためのセキュリティペーパーの作成方法。
【請求項４２】
前記セキュリティペーパーに製紙時に透孔を形成し、次いで該透孔の少なくとも一側を前記セキュリティ素子で塞ぐことを特徴とする、請求項４１記載の方法。
【発明の詳細な説明】
【技術分野】
【０００１】
本発明は、セキュリティペーパー、銀行券、身分証明証等のためのセキュリティ素子およびかかるセキュリティ素子を備えたセキュリティペーパーおよび有価証書に関するものである。さらに本発明は、セキュリティ素子およびかかるセキュリティ素子を備えたセキュリティペーパーおよび有価証書の作成方法に関するものである。
【背景技術】
【０００２】
特許文献１には、肉眼でも機械によっても検査可能なセキュリティストリップが提案されている。この目的に対して、透明なプラスチックフォイルが金属でコーティングされ、かつこのコーティングに文字または模様の形状の空隙が設けられている。さらに、セキュリティストリップは、適当な照明条件の下において、不透明な金属コーティングとは色のコントラストが異なる文字または模様を上記空隙に一致する領域に生じさせる発色性および／または発光性物質を含んでいる。用いられる金属層はアルミニウム層が好ましい。このセキュリティストリップは、セキュリティペーパー内にいわゆる「透かしセキュリティストリップ」として、すなわち、規則的な間隔で紙の表面に自由に接近し、かつ紙内の中間領域内のみに埋め込まれるように、セキュリティペーパーシートの製紙時に紙内に埋め込まれている。
【０００３】
このセキュリティストリップは、すでに極めて高いセキュリティ水準を満たしている。上記空隙は観察者が透過光によって本物の特徴を肉眼で直ちに識別するのに役立つのに対して、連続する金属性コーティング層は機械による導電性検査を可能にしている。さらに、上記セキュリティストリップは、さらなる特徴、すなわち空隙における発光を観察者が直ちに識別できるのみでなく、機械によっても検査可能であるという特徴を有する。しかしながら、このようなセキュリティストリップを備えた銀行券を一瞥すると、ウインドー領域の金属的な輝きが先ず目に入る。この輝きは、単にアルミニウムフォイルを貼り付けるだけで模造することができる。したがって、反射光で一瞥するだけのチェックでは、このような偽造品が本物の銀行券に見なされる可能性がある。
【特許文献１】欧州特許公開第０ ３３０ ７３３号明細書
【特許文献２】国際公開第９９／１３１５７号パンフレット
【特許文献３】国際公開第００／０２７３３号パンフレット
【発明の開示】
【発明が解決しようとする課題】
【０００４】
したがって本発明は、従来技術と比較して偽造阻止性を高めたセキュリティ素子ならびにセキュリティペーパーおよび有価証書を提供することを目的とするものである。
【課題を解決するための手段】
【０００５】
上記課題は、独立請求項に記載された特徴部分によって解決される。従属請求項の対象はそれらの発展である。
【０００６】
本発明によれば、上記セキュリティ素子は、異なる色彩を有する少なくとも二つの金属層を備えており、これら金属層は、このセキュリティ素子の同一表面上に、好ましくは少なくとも一部の領域で直接的に隣接するように配設されている。もし極めて多大の努力を費やせば、特に複数の色彩の異なる複雑な模様の、場合によっては互いにからみ合っている金属層を施すことができるとすれば、ただそれによってのみ、かかるセキュリティ素子の目で視た印象を真似ることが可能であるに過ぎない。例えば、異なる色彩を有する複数の金属から構成される多色金属絵画のモチーフを作成することができる。この場合、上記金属層は、セキュリティ素子の一部分であるプラスチック層上に配設されるのが好ましい。
【０００７】
上記複数の金属層は、必ずしもセキュリティ素子の面上に相並んで配設される必要はなく、少なくとも一部分が重なり合っていてもよい。その場合、目に見える色彩効果は金属層の厚さによって変化する。もし少なくとも上層の厚さが半透明な程に薄く設定されていれば、観察者には二つの金属層の混ざった色が見えるであろう。
【０００８】
二つの金属層が面全体に亘って上下に重なり合って配設されることも可能であり、これによって、下側の金属層が見える空隙を上層の金属層の一部に追加の処理によって設けることができる。もし下側の金属層にも上側の金属層における上記空隙から偏位しているのが好ましい中断部が下側の金属層にも存在し、かつこのセキュリティ素子が両側を観察可能なように配設されている場合には、色彩の異なる二つの金属層を各側から視ることができる。
【０００９】
同様に、三つ以上の金属層が上下に重なり合って配設され、かつ特別の処理によってそれらの一部分を露出させることも可能である。その場合、これら金属層のすべてが、必ずしもセキュリティ素子の同一表面上に配設される必要はない。これら金属層のすべてが固有の色彩を有する必要もない。色彩効果は透明なインクの印刷によっても生じさせることができる。
【００１０】
上記金属は、例えばアルミニウム、クロム、ニッケル、銅、金、銀、あるいはその他の非鉄金属または有色合金である。金色の窒化チタンのような金属に見える化合物も用いることができる。
【００１１】
物理的特性の異なる、特に異なる磁気的または電気的特性の異なる金属を用いることによって、偽造防止性をさらに高めることができる。例えば、鉄とアルミニウムは色彩および磁気的特性の双方において異なる。この相違は測定技術によって検出することができ、したがって、機械によって検出可能な本物の特徴として役立つ。
【００１２】
さらに、金属層が文字数字、模様、標識等の形状の空隙を備えていれば、偽造防止性をさらに高めることができる。
【００１３】
セキュリティ素子は、色彩の異なる複数の金属層が施された自立型プラスチックフォイルからなるセキュリティストリップとすることができる。このセキュリティストリップは、セキュリティペーパーまたは有価証書内に少なくとも部分的に埋め込むことができる。しかしながら、このセキュリティ素子をテープまたはラベルに形成して、これをセキュリティペーパーまたは有価証書の表面に貼り付けることも可能である。
【００１４】
セキュリティ素子のプラスチックフォイルはさらに、浮彫り構造の形態の回折構造を備えることもできる。この回折構造は、ホログラムまたは格子構造（例えば、kinegrams（登録商標）、ピクセルグラム）等のようないかなる回折構造であってもよい。
【００１５】
あるいは、セキュリティ素子を転写素子として作成することも可能である。もしセキュリティ素子がセキュリティペーパーまたは有価証書の表面に完全に配設されるならば、この変種は特に効果がある。この場合、セキュリティ素子の層構造が通常はプラスチックフォイルであるキャリヤフォイル上に調製され、次いでセキュリティペーパーまたは有価証書に対しホットスタンプ法によって所望の輪郭に転写される。
【００１６】
また、このセキュリティ素子を用いれば、セキュリティ素子の層構造に回折構造を一体に組み込むことができることは言うまでもない。さらに、セキュリティ素子は、薄膜構造、印刷画像等のようなさらなるセキュリティ特性を備えても差支えない。
【００１７】
セキュリティ素子がセキュリティペーパーまたは有価証書の表面上に配設される場合、例えば、円形、楕円形、星型、長方形、不等辺四辺形、または帯状のようないかなる外形形状をも採ることができる。
【００１８】
好ましい実施の形態によれば、セキュリティ素子が施されたセキュリティペーパーまたは有価証書は透孔を備えている。この場合、セキュリティ素子は透孔の領域に配設され、かつ全縁で透孔からはみ出ている。この場合、セキュリティ素子は表側および裏側の双方から識別することができる。同様に、複数の金属も両側から完全に等しく識別することができる。したがって色彩効果の模倣は極めて困難で、完全に不可能になる。
【００１９】
しかしながら、本発明のセキュリティ素子の利用は、有価証書の分野に限定されるものではない。本発明のセキュリティ素子は、いかなる物品の偽造をも防止するための製品保全の分野でも効果的に使用することができる。この目的に対してセキュリティ素子は、例えばコイルまたはチップのような盗作防止素子を備えることができる。この盗作防止素子も、かかるセキュリティ素子を備えたセキュリティペーパーまたは有価証書に同様に適用することができる。
【００２０】
上記複数の金属層は、蒸着装置を用いて施されるのが好ましく、個々の金属層はマスクによって生成される。三種類以上の金属層が用いられる場合には、個々の金属層は金属性インクまたは金属顔料を含んだインクによって生成させることができる。
【００２１】
上記空隙は、ここに引例として組入れられる特許文献２に開示された洗い流し法によって、特定の金属層内に形成されるのが好ましい。この場合、セキュリティ素子は、複数のセキュリティ素子の複製を備えたセキュリティフォイルとして調製される。基礎材料は、自立型の、好ましくは透明なプラスチックフォイルである。セキュリティストリップまたはラベルの場合、このプラスチックフォイルは、本発明のセキュリティ素子のプラスチック層に対応する。セキュリティ素子が凹凸を有するフォイルから剥離される場合、プラスチックフォイルはこの転写材料のキャリヤ材料を形成し、このキャリヤ材料にプラスチック層が例えばラッカー層の形態で施される。回折構造はこのラッカー層に、または、セキュリティストリップまたはラベルの場合にはプラスチックフォイルに形成することができる。本発明のセキュリティ素子のプラスチック層には、好ましくは凹版印刷によって、後に空隙となる形状が印刷される。この目的に対して、多孔質の盛り上がった塗料層を形成する、顔料を多く含むインクが用いられる。次に、印刷されたプラスチック層上に色彩の異なる複数の金属層が、場合によってはマスクを用いて蒸着される。最終工程では、上記塗料層およびその上を覆っている金属層が液体を用いた洗い流しによって、好ましくは機械的作用が併用されて最終的に除去される。液体として水を用いることができるように、水溶性インクが用いられるのが好ましい。かくしてこの方法は、無公害であり、かつ特別な予防措置を必要としない。さらにこの方法は、二つのまたは多数の金属層に対して１回の作業で空隙が形成される利点を有する。洗い流しは、回転シリンダ、ブラシまたは超音波のような機械的手段によって補助することが可能である。
【００２２】
エッチング技法を用いることは、ずっと費用はかかるが本質的には洗い流し法と同様に可能である。この方法では、最初に金属層がプラスチック層の表面全体に亘って蒸着され、次に、除去されるべき領域を除いて保護ラッカー層が印刷される。次にセキュリティ素子の層構造全体がエッチング槽に通されて、ここで保護されていない領域がプラスチック層から取り除かれる。異なる金属に対して別々のエッチング槽を必要とする場合には、保護工程と別々のエッチング液を用いたエッチング槽に漬ける工程とが反復される。個々のエッチング槽の化学薬品が汚染されないように、個々のエッチング槽の間に中和層と洗い流し層とが設けられる。
【００２３】
金属層に空隙を形成することが可能なさらなる方法は電気分解による化学反応である。この方法では、同様に最初に金属層がプラスチック層に蒸着され、次に残存する金属領域に不動態化層が印刷される。セキュリティ素子の層構造は最終的に、金属層を陰極として利用する電解槽に通される。使用される電解液および電解電圧は、使用されている金属に適合するように調節される。ここでもまた、事情によっては、異なる金属に対して異なる電解液が必要になろう。この方法の原理については、当業者は周知であり、例えば引例としてここに組入れられる特許文献３に詳細に説明されている。
【００２４】
レーザースクライバ、電子ビーム侵食およびその他の除去方法を用いた金属層の機械的除去あるいは中断部形成のようなその他の方法も同様に適用可能である。
【００２５】
発光性物質、液晶物質、金属性印刷インク、またはブロンズ色塗料を金属層のない中間領域に配設して、さらなる本物であることを示す特徴として役立てることも可能である。
【発明を実施するための最良の形態】
【００２６】
以下に、本発明のセキュリティ素子、セキュリティペーパーおよび有価証書のさらなる実施の形態および利点について図面を参照して説明する。図面は概略的であって、実際の比率および寸法を表すものではない。
【００２７】
図１は本発明による有価証書を示す平面図である。図示の具体例は銀行券１を含む。この銀行券１は、この銀行券１の幅全体に延びる帯状のセキュリティ素子２を備えている。このセキュリティ素子２の観察者に向いた表面全体は、色彩の異なる金属で覆われた金属性領域３，４であり、図示の具体例においては金属性領域３，４が直接隣接し、かつ交互に配設されている。
【００２８】
図１に示されたセキュリティ素子は、凹凸にされたプラスチック層と少なくとも一つの反射性層とからなる回折性セキュリティ素子である。
【００２９】
図２は図１のＡ−Ａ線に沿った断面図を示す。ここには回折構造６を内部に収容したプラスチック層５が見られる。直接的に隣接する色彩の異なる金属層３，４が交互に配設されている。図示の具体例においては、このセキュリティ素子の層が接着剤層３０を介して有価証書に固着されている。
【００３０】
図３は、本発明によるセキュリティ素子の別の実施の形態を平面図で示したものである。ここでは、異なる金属性領域３，４にさらに空隙７，８が配設されている。これら空隙は、記号、文字数字、模様等のいずれを示すものであってもよい。さらに金属性領域３，４が直接的に隣接している。金属性領域４と９の間には、広い非金属性のスペース１２が存在する。金属性領域９は、領域３，４における固有の金属色とは異なる第３の固有の色を有する金属で覆われている。
【００３１】
図３に示されているセキュリティ素子３は、図４に断面図で示されているように、例えばセキュリティストリップ１０となし得る。セキュリティストリップ１０は、色彩の異なる金属層３，４，９が上に配設された好ましくは透明なキャリヤーフォイル１１からなる。
【００３２】
図３と同様の外観は、セキュリティペーパー、有価証書等の上にセキュリティ素子を設けるために使用される転写材料によって表すことが可能である。転写材料１３は、プラスチック層１５が施されているキャリヤーフォイル１４からなる。回折構造６はプラスチック層１５に浮彫り構造の形態で組み込まれている。色彩の異なる金属層３，４，９はプラスチック層１５の上に配設されている。さらに転写材料１３は、セキュリティペーパーまたは有価証書に対し対応する金属層３，４，９およびプラスチック層１５を固着するために、転写に際し転写される領域の加熱および加圧によって活性化される随意的な接着剤層１６をも備えている。最終的にキャリヤーフォイル１４は剥ぎ取られる。
【００３３】
空隙７，８およびスペース１２においては、接着剤層１６が回折構造６に直接的に隣接している。もし接着剤層１６とプラスチック層１５とが極めて類似した屈折率を有していれば、これらの領域では回折構造６が認識されない。
【００３４】
セキュリティ素子の特別な用途においてもし必要であれば、キャリヤーフォイル１４の剥ぎ取りを不要にすることができる。その場合に、キャリヤーフォイルは追加の処置によって良好な接着性を備えることができる。
【００３５】
もし図４に示されたセキュリティストリップが同様の回折構造を備える場合には、回折構造はキャリヤーフォイル１１内に、またはキャリヤーフォイル１４と金属層３，４との間に配設された独立したプラスチック層内に組み込むことができる。
【００３６】
図６は、金属層が或る領域に空隙を備えている本発明のセキュリティ素子の作成方法を概略的に示す。この方法は、セキュリティストリップまたはセキュリティラベルの具体例によって説明されているが、他の連続層を備えたセキュリティ素子にも同様に利用することができることは言うまでもない。このセキュリティ素子は、複数のセキュリティ素子の複製を備えたセキュリティフォイルとして作成されることが好ましい。ここに示されている具体例における出発点は自立型プラスチックフォイル１７である。最初の工程では、図６ａに示されているように、後に空隙が形成される領域に対し多孔性の塗料層が形成されるように、顔料を多く含むインク１８によって印刷がなされる。次に、印刷されたプラスチックフォイル１７全体に亘って色彩の異なる金属層３，４が所望の形態で施される。この目的に対しては蒸着法が用いられるのが好ましく、これによって、個々の金属３，４がマスクを用いて順次プラスチックフォイル１７上に蒸着される。印刷領域１８においては、そこにインクによる多孔性の表面構造が存在するために連続した金属層が形成されない。中間製品は、図６ｂに示されているように金属層３，４を備えている。
【００３７】
印刷領域１８においては密実な金属表面が形成されていないために、洗い流しによって印刷領域１８および金属層３，４を事実上容易に除去することができる。洗い流しには水を用いるのが好ましい。印刷領域１８を完全に除去するためにはブラシを用いるのが好ましい。最終的な製品は図６ｃに示されている。金属層３，４は空隙７，８を備えている。最後にセキュリティフォイルが所望の形状のセキュリティ素子に裁断される。
【００３８】
この洗い流し法は、シャ−プで明確なエッジが得られる利点を有するので、この方法はまた、極めて微細な高解像度を有する文字または模様を金属層で作成することができる。
【００３９】
上述の具体例においては、異なる金属からなる表面領域が相並んで配設されるのが好ましい。その代わりに、金属層は上下に、あるいは一部オーバーラップさせて配設することもできるが、色彩または構造の異なる金属領域の相並んだ配置のみが肉眼で識別できるので有意義である。金属層の被着時に、もし第１の金属領域が全域に亘って配設され、第２の金属領域が第１の金属領域の一部に配設され、第３の金属領域が、先に配設された金属領域の一つまたは全て上の全部または一部に亘って配設されること等が可能であれば有益であるから、このことは有意義である。これによって、整合問題が低減され、マスクの使用が簡単になる。
【００４０】
図７は、図１に示された有価証書のＡ−Ａ線に沿った断面に対応する実施の形態を示す。この場合には、有価証書１はセキュリティ素子２の領域全体に金属層４を備えており、金属層３は、金属層４が空隙７において認識できるように、一部の領域のみに配設されている。空隙７は、図６を参照して説明した「洗い流し法」によって同様に形成することができる。この方法は、色彩の異なる金属層３，４が別のキャリヤ上に調製され、次いで有価証書または証書基材上に転写される場合に特に推奨される。勿論、上記空隙の生成には他のいかなる方法も同様に用いることができる。特に、レーザービームを用いた除去方法に関心が寄せられている。この場合には、先ず金属層３，４が有価証書またはキャリヤ全体に施される。次に、空隙７の領域における金属層３がレーザービームに曝されて、金属層４を傷つけることなくこれらの領域の金属層３が除去される。
【００４１】
図８および図９は、色彩の異なる３種類の金属層を備えた本発明のセキュリティ素子のさらなる実施の形態を示す。この変形は、セキュリティストリップの用途に特に適しているが、これに限定されるものではない。
【００４２】
図８に示されたセキュリティストリップ１０においては、キャリヤフォイル１１が第１の色彩を有する金属層９を全体に亘って備えている。この金属層９とは異なる固有の色彩をそれぞれ有する金属層３，４がその上に施されている。金属層３および４は一部の領域のみに施され、かつ金属層９が外から見える空隙１９を備えている。さらに金属層３は、金属層４が見える空隙７を備えている。
【００４３】
図９は、金属層９がキャリヤフォイル１１の裏面に配設された実施の形態を示す。ここに示された具体例においては、金属層８が空隙２０をも備えている。ここに示された具体例においては金属層９が、金属層３，４の一方と同じ材料で作成可能でもある。もし金属層９が、少なくとも或る領域で特別の固有色を持たなければならない場合には、透明な色つきラッカー層２１を印刷することが可能である。
【００４４】
図１０は、本発明のセキュリティ素子のさらなる実施の形態の平面図を示す。この場合、セキュリティ素子は、色彩の異なる２種類の金属層３，４と、互いに整合関係に配設された印刷画像２２とを備えている。このようなセキュリティ素子は、上述した「洗い流し法」によって作成されるのが好ましい。
【００４５】
この目的のために、図１１ａに示されているようなキャリヤ材料２５が調製される。最初の工程においては、金属層４がキャリヤ材料２５全体に亘って施される。次の工程においては、印刷画像２２が印刷される。好ましくは可溶性インク１８が印刷画像２２にオーバーラップして、かついかなる場合でも印刷画像２２と整合状態に施される。最後に、蒸着工程において金属層３がこの層構造全体に亘って蒸着される。洗い流し作業時に可溶性インク１８が除去され、これによって、印刷画像２２のインクで覆われていた領域と金属層４とが露出される。図１１ｂはこの層構造の断面を示す。
【００４６】
整合問題を避けるために、図１２に示すように、印刷画像２２の縁領域を可溶性インク１８上に配設することも有効であろう。洗い流し作業中に可溶性インクが溶け、一部は機械的に除去され、これによってその上を覆っている印刷画像も除去される。このことは、別の色彩を有する印刷画像と整合してさらに配設することができる別の金属色が食い込んだ表面を形成することを可能にする。しかしながら、これに代わり、印刷画像２２を可溶性インクの下に配置することも可能である。
【００４７】
図１３は、洗い流し作業後のかかるセキュリティ素子の平面図を示す。ここには、三つの円形および環状領域が配設されている。印刷画像２２は最も内側に配設されている。印刷画像２２は、第１の固有の色彩を有する金属層３の環状領域に囲まれている。この金属層３の環状領域は、同様に環状の金属層４の領域に囲まれている。金属層４を取り囲む全体領域は金属層３によって形成されている。
【００４８】
図示の具体例においては、印刷画像２２が一色の層からなるかあるいは複雑な多色印刷画像である。この印刷画像は、紫外線硬化インク、金属性インク、あるいは発光性または光学的に変化する顔料を含有するインクのような、いかなるインクを用いても形成することができる。
【００４９】
同様に、金属層または印刷画像の輪郭は、図示されたような単純な形状には限定されない。いかなる複雑なモチーフでも可能である。種々の金属層は、金属の除去または非金属性領域によって隔離することができる。
【００５０】
同様に、図示の実施の形態は、他のセキュリティ機能、例えば回折構造または液晶層と組合わせることも可能である。
【００５１】
最後に、図示の層の配列順序は、用いられるセキュリティ素子のいかなる実施の形態にも転用することができる。ゆえに、セキュリティストリップを参照して図示されたこの層の配列順序を、同様に転写材料またはラベル材料にも逆にして転用することができる。
【図面の簡単な説明】
【００５２】
【図１】本発明による有価証書を示す平面図である。
【図２】図１の有価証書のＡ−Ａ線に沿った断面図である。
【図３】本発明によるセキュリティ素子の平面図である。
【図４】図３に示されたセキュリティ素子の実施の形態の層構造を示す断面図である。
【図５】本発明による転写材料の断面図である。
【図６】図６ａ〜図６ｃは本発明によるセキュリティ素子の作成方法を示す図である。
【図７】図１のＡ−Ａ線に沿った断面図による有価証書の変形を示す図である。
【図８】本発明によるセキュリティ素子の実施の形態を示す断面図である。
【図９】本発明によるセキュリティ素子の別の実施の形態を示す断面図である。
【図１０】本発明によるセキュリティ素子の別の実施の形態を示す平面図である。
【図１１】図１１ａおよび図１１ｂは図１０のセキュリティ素子の作成方法を示す図である。
【図１２】図１２ａおよび図１２ｂは本発明によるセキュリティ素子の作成方法を示す図である。
【図１３】図１２の方法によって作成されたセキュリティ素子を示す平面図である。
【符号の説明】
【００５３】
１    銀行券、有価証書
２    セキュリティ素子
３，４    金属層
５，１５    プラスチック層
６    回折構造
７，８    空隙
１０    セキュリティストリップ
１１    キャリヤフォイル
１７    プラスチックフォイル
１８    可溶性層
２２    印刷画像
【図１】
2005512860.tif 000003
【図２】
2005512860.tif 000004
【図３】
2005512860.tif 000005
【図４】
2005512860.tif 000006
【図５】
2005512860.tif 000007
【図６ａ】
2005512860.tif 000008
【図６ｂ】
2005512860.tif 000009
【図６ｃ】
2005512860.tif 000010
【図７】
2005512860.tif 000011
【図８】
2005512860.tif 000012
【図９】
2005512860.tif 000013
【図１０】
2005512860.tif 000014
【図１１ａ】
2005512860.tif 000015
【図１１ｂ】
2005512860.tif 000016
【図１２ａ】
2005512860.tif 000017
【図１２ｂ】
2005512860.tif 000018
【図１３】
2005512860.tif 000019
【国際調査報告】
2005512860.tif 000020
2005512860.tif 000021
2005512860.tif 000022
2005512860.tif 000023